(57)【要約】【課題】排血口後部からお尻の付け根部分までの間に生じるシワやヨレを無くし身体との間に隙間が生じないようにすることで、後斜めからの漏れを防止する、【解決手段】透液性表面シート３と、裏面シート２との間に吸収体４が介在され、前記透液性表面シート３面側に、左右対で略長手方向に沿う縦方向エンボス溝７，７が形成された吸収性物品において、前記縦方向エンボス溝７，７は、吸収性物品の後部側から前部側にかけて離間幅を狭める形状とする。好ましくは、前記縦方向エンボス溝７，７の吸収性物品の前部側始端同士を結合するとともに、吸収性物品の前端側に凸形状の前部側幅方向エンボス溝８が形成され、前記縦方向エンボス溝７，７の吸収性物品の後部側終端同士を結合するとともに、吸収性物品の後端側に凸形状の後部側幅方向エンボス溝９が形成される。【選択図】図１
2007143699.tif 000002
【特許請求の範囲】
【請求項１】
透液性表面シートと、裏面シートとの間に吸収体が介在され、前記透液性表面シート面側に、左右対で略長手方向に沿う縦方向エンボス溝が形成された吸収性物品において、
前記縦方向エンボス溝は、吸収性物品の後部側から前部側にかけて離間幅を狭める形状としたことを特徴とする吸収性物品。
【請求項２】
前記縦方向エンボス溝は、吸収性物品の前部側始端の離間幅が２０〜４０mmであり、吸収性物品の後部側終端の離間幅が５０〜６０mmである請求項１記載の吸収性物品。
【請求項３】
前記縦方向エンボス溝は、平面視で吸収性物品の外側に向かって凸状を成す曲線で形成されている請求項１，２いずれかに記載の吸収性物品。
【請求項４】
前記縦方向エンボス溝の線幅は０．５〜３．０mmとしてある請求項１〜３いずれかに記載の吸収性物品。
【請求項５】
前記左右対で形成された縦方向エンボス溝の間が吸収体中高部とされる請求項１〜４いずれかに記載の吸収性物品。
【請求項６】
前記縦方向エンボス溝の吸収性物品の後部側終端同士を結合する後部側幅方向エンボス溝を有する請求項１〜５いずれかに記載の吸収性物品。
【請求項７】
前記後部側幅方向エンボス溝は、吸収性物品の後端側に凸形状を成す弧状エンボス溝とされる請求項６記載の吸収性物品。
【請求項８】
前記後部側幅方向エンボス溝は、両側部分に吸収性物品の後端側に凸状を成す左右対の凸状曲線部及び前記凸状曲線部分の間に存在する凹状曲線部からなる、平面視で略Ｗ字状曲線を成すエンボス溝とされる請求項６記載の吸収性物品。
【請求項９】
前記後部側幅方向エンボス溝は、幅方向中央部で溝幅を最大とし、側部側に行くに従って漸次溝幅を狭めた、平面視で略三日月形状を成すエンボス溝とされる請求項６記載の吸収性物品。
【請求項１０】
前記縦方向エンボス溝の後部側終端近傍より前側領域におけるエンボス溝は、相対的に低圧搾部分よりも高圧搾部分を多くし、前記縦方向エンボス溝の後部側終端近傍より後側領域におけるエンボス溝は、相対的に高圧搾部分よりも低圧搾部分を多くしてある請求項６〜９いずれかに記載の吸収性物品。
【請求項１１】
前記縦方向エンボス溝の吸収性物品の前部側始端同士を結合するとともに、吸収性物品の前端側に凸形状の前部側幅方向エンボス溝を有する請求項１〜１０いずれかに記載の吸収性物品。
【請求項１２】
前記吸収体において、縦方向エンボス溝の略中央位置であってかつ裏面側に、吸収性物品の長手方向に沿って凹状エンボス溝が形成されている請求項１〜１１いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは表面側に略長手方向に沿う方向に左右対の縦方向エンボス溝が形成された吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液漏れ等を防止するための手段が種々講じられている。例えば、幅方向への体液の拡散を防止するとともに、吸収体のヨレを防止し、かつ吸収体中央部を隆起させ局部への密着性を向上させるなどの目的で、表面側に熱エンボスによってエンボス溝を形成する技術が存在する。
【０００４】
たとえば、下記特許文献１においては、図１１に示されるように、生理用ナプキンＮの透液性表面シート面側に略長手方向に沿う方向に長手方向中心線を跨いで左右一対の、内方側に凸形状を成す縦方向弧状エンボス溝５０，５０が形成されるとともに、略幅方向に沿う方向に平面視で、前後端に向かって凸形状の幅方向弧状エンボス溝５１，５１が形成された吸収性物品が開示されている。
【０００５】
また、下記特許文献２においては、図１２に示されるように、生理用ナプキンＮの透液性表面シート面側に略長手方向に沿う方向に長手方向中心線を跨いで左右一対の縦方向エンボス溝５２，５２が平行に形成された、全体として略小判形状のエンボス溝が形成された吸収性物品が開示されている。
【特許文献１】特開２００３−２６５５１９号公報
【特許文献２】特開２００３−１８０７３４号公報
【発明の開示】
【発明が解決しようとする課題】
【０００６】
しかしながら、前記特許文献１記載のエンボス溝形状の場合、排血口部分では身体の隙間を埋めることができても、エンボス溝部でそれよりも外側部分が折れ曲がり易く、折れ曲がり部分と排血口後端からお尻の付け根部分にかけて隙間が生じることがあった。また、両脚付け根部分から圧力を受けると、シワやヨレが前端側及び後端側の両方に延びるため、特に後斜めからの漏れが生じ易くなっていた。
【０００７】
また、上記特許文献１記載のエンボス溝形状の場合、排血口部分からお尻付け根部分にかけて身体との隙間を埋めることができても、両脚付け根部分から圧力を受けると、シワやヨレが前端側及び後端側の両方に延びるため、特に後斜めからの漏れが生じ易くなっていた。
【０００８】
そこで本発明の主たる課題は、排血口後部からお尻の付け根部分までの間に生じるシワやヨレを無くして、身体との間に隙間が生じないようにすることで、後斜めからの漏れを防止することにある。
【課題を解決するための手段】
【０００９】
前記課題を解決するために請求項１に係る本発明として、透液性表面シートと、裏面シートとの間に吸収体が介在され、前記透液性表面シート面側に、左右対で略長手方向に沿う縦方向エンボス溝が形成された吸収性物品において、
前記縦方向エンボス溝は、吸収性物品の後部側から前部側にかけて離間幅を狭める形状としたことを特徴とする吸収性物品が提供される。
【００１０】
上記請求項１記載の発明では、縦方向エンボス溝は、吸収性物品の後部側から前部側にかけて離間幅を狭める形状とするものである。従って、縦方向エンボス溝に挟まれた吸収体は、後部側で十分な広さを保持でき、かつ両脚付け根部分から圧力を受けたとしても、シワやヨレは相対的に離間幅が狭くなっている前端側に逃げるように延びるため、後部側にはシワやヨレが発生しづらく、身体との間に隙間が生じ難くなるため、後斜めからの漏れを防止できるようになる。
【００１１】
なお、「吸収性物品の後部側から前部側にかけて離間幅を狭める形状」とは、離間幅を漸次狭める場合の他、特に後側部分に平行部分を有し、中間点から徐々に離間幅を狭める場合を含むものである。すなわち、前部側に行くに従って離間幅が拡大する部分が存在しなければよい。
【００１２】
請求項２に係る本発明として、前記縦方向エンボス溝は、吸収性物品の前部側始端の離間幅が２０〜４０mmであり、吸収性物品の後部側終端の離間幅が５０〜６０mmである請求項１記載の吸収性物品が提供される。
【００１３】
上記請求項２記載の発明は、縦方向エンボス溝の形状を具体的に規定するものである。
【００１４】
請求項３に係る本発明として、前記縦方向エンボス溝は、平面視で吸収性物品の外側に向かって凸状を成す曲線で形成されている請求項１，２いずれかに記載の吸収性物品が提供される。
【００１５】
上記請求項３記載の発明は、前記縦方向エンボス溝を、平面視で吸収性物品の外側に向かって凸状を成す曲線で形成するものであり、脚部から圧力を受けた場合、縦方向エンボス溝によって挟まれた吸収体部分が表面側に隆起し易くなり、排血口に食い込み易くなる。
【００１６】
請求項４に係る本発明として、前記縦方向エンボス溝の線幅は０．５〜３．０mmとしてある請求項１〜３いずれかに記載の吸収性物品が提供される。
【００１７】
上記請求項４記載の発明は、明確なエンボス溝を形成し、かつ製品全体に硬さを出さずに装着感を良好にするため、縦方向エンボス溝の線幅を０．５〜３．０mmとするものである。
【００１８】
請求項５に係る本発明として、前記左右対で形成された縦方向エンボス溝の間が吸収体中高部とされる請求項１〜４いずれかに記載の吸収性物品が提供される。
【００１９】
上記請求項５記載の発明は、排血口部分に対する密着性が良好とするため、縦方向エンボス溝の間が吸収体中高部とするものである。
【００２０】
請求項６に係る本発明として、前記縦方向エンボス溝の吸収性物品の後部側終端同士を結合する後部側幅方向エンボス溝を有する請求項１〜５いずれかに記載の吸収性物品が提供される。
【００２１】
上記請求項６記載の発明は、排血口後部からお尻の付け根部分までの領域をエンボス溝で画成するため、縦方向エンボス溝の吸収性物品の後部側終端同士を結合する後部側幅方向エンボス溝を形成するものである。
【００２２】
請求項７に係る本発明として、前記後部側幅方向エンボス溝は、吸収性物品の後端側に凸形状を成す弧状エンボス溝とされる請求項６記載の吸収性物品が提供される。
【００２３】
上記請求項７記載の発明は、後部側幅方向エンボス溝のエンボス形状を具体的に規定したものである。前記後端側に凸形状を成す弧状エンボス溝とすることにより、排血口後部からお尻の付け根部分までの領域を広く確保することができる。
【００２４】
請求項８に係る本発明として、前記後部側幅方向エンボス溝は、両側部分に吸収性物品の後端側に凸状を成す左右対の凸状曲線部及び前記凸状曲線部分の間に存在する凹状曲線部からなる、平面視で略Ｗ字状曲線を成すエンボス溝とされる請求項６記載の吸収性物品が提供される。
【００２５】
上記請求項８記載の発明も、後部側幅方向エンボス溝のエンボス形状を具体的に規定したものである。平面視で略Ｗ字状曲線を成すエンボス溝とすることにより、両脚部から圧力を受けた際に、身体側に隆起するように山折りとなって身体に密着し易くなる。
【００２６】
請求項９に係る本発明として、前記後部側幅方向エンボス溝は、幅方向中央部で溝幅を最大とし、側部側に行くに従って漸次溝幅を狭めた、平面視で略三日月形状を成すエンボス溝とされる請求項６記載の吸収性物品が提供される。
【００２７】
上記請求項９記載の発明は、後部側幅方向エンボス溝のエンボス形状を具体的に規定したものである。平面視で略三日月形状を成すエンボス溝とし、中央部分でエンボス剛性が高くし、側部に行くに従ってエンボス剛性を小さくすることにより、中央部分で吸収体にシワやヨレが出来にくくすることが可能となる。
【００２８】
請求項１０に係る本発明として、前記縦方向エンボス溝の後部側終端近傍より前側領域におけるエンボス溝は、相対的に低圧搾部分よりも高圧搾部分を多くし、前記縦方向エンボス溝の後部側終端近傍より後側領域におけるエンボス溝は、相対的に高圧搾部分よりも低圧搾部分を多くしてある請求項６〜９いずれかに記載の吸収性物品が提供される。
【００２９】
上記請求項１０記載の発明は、縦方向エンボス溝の吸収性物品の後部側終端近傍を境に前側と後側とでエンボス態様を変化させるものである。すなわち、前記後部側終端位置より前側では相対的に低圧搾部分よりも高圧搾部分を多くすることにより吸収体が潰れ易くし、一方前記後部側終端位置より前側では相対的に高圧搾部分よりも低圧搾部分を多くすることにより吸収体が潰れ難くして、排血口後部からお尻の付け根部分までの間に生じるシワやヨレを無くして、身体との間に隙間が生じないようにする。
【００３０】
請求項１１に係る本発明として、前記縦方向エンボス溝の吸収性物品の前部側始端同士を結合するとともに、吸収性物品の前端側に凸形状の前部側幅方向エンボス溝を有する請求項１〜１０いずれかに記載の吸収性物品が提供される。
【００３１】
上記請求項１１記載の発明は、排血口前部領域をエンボス溝で画成するため、縦方向エンボス溝の吸収性物品の前部側終端同士を結合する前部側幅方向エンボス溝を形成するものである。
【００３２】
請求項１２に係る本発明として、前記吸収体において、縦方向エンボス溝の略中央位置であってかつ裏面側に、吸収性物品の長手方向に沿って凹状エンボス溝が形成されている請求項１〜１１いずれかに記載の吸収性物品が提供される。
【００３３】
上記請求項１２記載の発明は、吸収体において、縦方向エンボス溝の略中央位置であってかつ裏面側に、吸収性物品の長手方向に沿って凹状エンボス溝を形成するものであり、前記凹状エンボス溝は、凹状溝軸部分が他の部分よりも薄肉化され、剛性（断面二次モーメント）が低下することにより、凹状エンボス溝を可撓軸（長手方向可撓軸）として横断方向の変形性能が確保され、装着状態では、前記横断方向で前記可撓軸部分が角折れするように変形し、臀部の丸みに沿うように身体にフィットするようになるとともに、前記可撓軸により吸収体を隆起させるように変形するため、お尻の窪み部分に密着させることができる。
【発明の効果】
【００３４】
以上詳説のとおり本発明によれば、排血口後部からお尻の付け根部分までの間に生じるシワやヨレが無くなり、身体との間に隙間が生じないようになるため、後斜めからの漏れを防止できるようになる。
【発明を実施するための最良の形態】
【００３５】
以下、本発明の実施の形態について図面を参照しながら詳述する。
図１は本発明に係る生理用ナプキン１の展開図であり、図２は図１のII−II線矢視図である。
【００３６】
前記生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略両側縁部から前記裏面シート２の側縁部にかけて夫々配設されたサイド不織布６とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、前記サイド不織布６とがホットメルトなどの接着剤やヒートシール等の接着手段によって接合されている。
【００３７】
以下、具体的に前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３８】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３９】
また、前記透液性表面シート３に多数の透孔を形成した場合には、経血やおりもの等（以下、まとめて体液という。）が速やかに吸収されるようになり、ドライタッチ性に優れたものとなる。
【００４０】
前記吸収体４としては、体液を吸収・保持し得るものであれば良く、積繊パルプ、エアレイド、パルプ不織布等が使用される。一般にはフラッフ状パルプ中に吸水性ポリマー粉末を混入したものが吸収機能および価格の点から好適に使用される。前記吸収体４は図示のごとく、形状保持等のためにクレープ紙５によって囲繞するのが望ましい。
【００４１】
前記透液性表面シート３の幅寸法は、図１に示されるように、吸収体４の幅よりも若干長めとされ、吸収体４を覆うだけに止まり、吸収体４の略両側縁部から前記裏面シート２の側縁部にかけて夫々、サイド不織布６が配設されている。前記サイド不織布６は、具体的には経血やおりもの等が浸透するのを防止する、あるいは肌触り感を高めるなどの目的に応じて、適宜の撥水処理または親水処理を施した不織布素材を用いて構成されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４２】
（エンボス溝の構造）
前記透液性表面シート３面には、排血部位Ｈを含む股下範囲Ｓに、左右対で略長手方向に沿う縦方向エンボス溝７，７が形成され、前記股下範囲Ｓに連続するナプキン前側部分Ｆに、縦方向エンボス溝７，７のナプキン前部側始端同士を結合するとともに、ナプキン前端側に凸形状の前部側幅方向エンボス溝８が形成され、前記股下範囲Ｓに連続するナプキン後側部分Ｂに、前記縦方向エンボス溝７，７のナプキン後部側終端同士を結合するとともに、ナプキン後端側に凸形状の後部側幅方向エンボス溝９が形成され、全体として閉合形状のエンボス溝１１が設けられている。また、前記エンボス溝１１によって囲まれた領域は、図２に示されるように、吸収体４が増厚された中高部１０となっている。なお、前記エンボス溝１１の形成位置は、前記前部側幅方向エンボス溝８の中央部Ｐが排血口（小陰唇）の先端に位置するようにし、前記縦方向エンボス溝７，７の長手方向略中央に排血部位Ｈが位置するようにするのが望ましい。
【００４３】
本ナプキン１では特に、前記縦方向エンボス溝７，７を、ナプキン後部側から前部側にかけて離間幅を狭める形状で形成するものである。従って、縦方向エンボス溝７，７に挟まれた中高吸収体１０は、後部側で十分な広さが保持でき、かつ図３に示されるように、両脚付け根部分から圧力を受けたとしても、シワやヨレは相対的に離間幅が狭くなっている前端側に逃げるように延びるため、後部側１２にはシワやヨレが発生しづらく、身体との間に隙間が生じ難くなるため、後斜めからの漏れを防止できるようになる。
【００４４】
前記縦方向エンボス溝７，７の形状（幅、長さ、勾配）は身体の股部形状に合わせるようにするのが望ましい。具体的には、前記方向エンボス溝７，７は、ナプキン前部側始端の離間幅ＦＬが２０〜４０mm、好ましくは２５〜３５mm、ナプキン後部側終端の離間幅ＢＬが５０〜６０mmとするのが望ましい。ナプキン前部側始端の離間幅ＦＬが２０mm未満の場合は排血口の幅以下となり漏れを防止難くなる。４０mmを超える場合には、前記ナプキン後部側終端の離間幅ＢＬとの差が小さくなり縦方向エンボス溝７，７の傾斜（勾配）が緩やかになるため、シワやヨレが前端側に逃げづらくなり後部側１２にシワやヨレが発生してしまうことになる。一方、ナプキン後部側終端の離間幅ＢＬの寸法は平均的日本人体型の排血口端部に当たる部分の幅として設定されるものである。
【００４５】
また、前記縦方向エンボス溝７，７の線幅は０．５〜３．０mmとするのが望ましい。前記線幅が０．５mm未満では明確なエンボス溝を形成することができず、３．０mmを超える場合には、製品全体に硬さで出てしまい装着感を損なうことになる。
【００４６】
前記縦方向エンボス溝７，７は、平面視で吸収性物品の外側に向かって緩やかな凸状を成す曲線で形成されていることが望ましい。脚部から圧力を受けた場合、縦方向エンボス溝７，７によって挟まれた吸収体部分が表面側に隆起し易くなり、排血口に食い込み易くなる。
【００４７】
エンボス溝１１の形成態様は、図４に示されるように、縦方向エンボス溝７，７の後部側終端近傍より前側領域ＥＦにおけるエンボス溝は、相対的に低圧搾部分よりも高圧搾部分を多くし、前記縦方向エンボス溝７，７の後部側終端近傍より後側領域ＥＢにおけるエンボス溝は、相対的に高圧搾部分よりも低圧搾部分を多くするのが望ましい。図示例では、前記前側領域ＥＦにおけるエンボス溝をすべて高圧搾エンボス１２ａとし、前記後側領域ＥＢにおけるエンボス溝は幅方向に高圧搾エンボス１２ａと低圧搾エンボス１２ｂとが交互に存在するとともに、低圧搾エンボス１２ｂの面積が多くなるようにしている。前記前側領域ＥＦでは、相対的に低圧搾部分よりも高圧搾部分を多くすることにより吸収体４、１０が潰れ易くし、一方前記後側領域ＥＢでは相対的に高圧搾部分よりも低圧搾部分を多くすることにより吸収体４，１０が潰れ難くして、排血口後部からお尻の付け根部分までの間に生じるシワやヨレを無くして、身体との間に隙間が生じないようにする。
【００４８】
前記後部側幅方向エンボス溝９は、図５に示されるように、幅方向中央部で溝幅を最大とし、側部側に行くに従って漸次溝幅を狭めた、平面視で略三日月形状を成すエンボス溝とすることができる。平面視で略三日月形状を成すエンボス溝とすることで、中央部分ではエンボス剛性を高くし、側部に行くに従ってエンボス剛性を徐々に小さくすることにより、中央部分で吸収体４，１０にシワやヨレが出来にくくすることができる。この場合、前記高圧搾部２ａは、図６(A)に示されるように、溝幅全長に亘り形成するようにしてもよいが、図６(B)に示されるように、ヨレやシワを発生し難くするため、中間に低圧搾部１２ｂを入れながら溝幅方向に沿って形成するようにしてもよい。
【００４９】
一方、前記吸収体４において、図７に示されるように、縦方向エンボス溝７，７の略中央位置であってかつ裏面側に、ナプキン長手方向に沿って凹状エンボス溝１３を形成することも可能である。前記凹状エンボス溝１３は、凹状溝軸部分が他の部分よりも薄肉化され、剛性（断面二次モーメント）が低下することにより、凹状エンボス溝１３を可撓軸（長手方向可撓軸）として横断方向の変形性能が確保され、装着状態では、前記横断方向で前記可撓軸部分が角折れするように変形し、臀部の丸みに沿うように身体にフィットするようになるとともに、前記可撓軸により吸収体を隆起させるように変形するため、お尻の窪み部分に密着させることができるようになる。
【００５０】
〔他の形態例〕
(1)上記形態例では、前記左右対の縦方向エンボス溝７，７、前部側幅方向エンボス溝８および後部側幅方向エンボス溝９により、全体として閉合形状のエンボス溝１１を形成するようにしたが、図８に示されるように、前記前部側幅方向エンボス溝８および後部側幅方向エンボス溝９は、左右対の縦方向エンボス溝７，７から不連続としてもよい。
(2)また、図９に示されるように、前部側幅方向エンボス溝８および後部側幅方向エンボス溝９を省略して、前記左右対の縦方向エンボス溝７，７のみを形成するようにしてもよい。
(3)前記後部側幅方向エンボス９は、図１０に示されるように、両側部分に吸収性物品の後端側に凸状を成す左右対の凸状曲線部９ａ、９ａ及び前記凸状曲線部分９ａ、９ａの間に存在する凹状曲線部９ｂからなる、平面視で略Ｗ字状曲線を成すエンボス溝とすることもできる。平面視で略Ｗ字状曲線を成すエンボス溝とすることにより、両脚部から圧力を受けた際に、身体側に隆起するように山折りとなって身体に密着し易くなる。
(4)上記形態例では、前記左右対の縦方向エンボス溝７，７、前部側幅方向エンボス溝８および後部側幅方向エンボス溝９により、全体として閉合形状のエンボス溝１１を形成するようにしたが、前記エンボス溝１１以外のエンボスを別途付加することも可能である。
【図面の簡単な説明】
【００５１】
【図１】本発明に係る生理用ナプキン１の平面図である。
【図２】図１のII−II線矢視図である。
【図３】エンボス溝１１領域のシワ・ヨレの形成状態を示す図である。
【図４】エンボス溝１１の形成態様を示す要部平面図である。
【図５】エンボス溝１１の他の形成態様を示す要部平面図である。
【図６】エンボス溝１１の他の形成態様を示す要部平面図である。
【図７】裏面側凹状エンボス溝１３の形成態様を示す要部平面図である。
【図８】本発明に係る生理用ナプキン１の変形例を示す平面図である。
【図９】本発明に係る生理用ナプキン１の変形例を示す平面図である。
【図１０】後部側幅方向エンボス９の他の形態例を示すナプキン平面図である。
【図１１】縦方向エンボスが形成された従来ナプキン（その１）を示す視図である。
【図１２】縦方向エンボスが形成された従来ナプキン（その２）を示す平面図である。
【符号の説明】
【００５２】
１…生理用ナプキン、２…不透液性裏面シート、３…透液性表面シート、４…吸収体、５…クレープ紙、６…サイド不織布、７…縦方向エンボス溝、８…前部弧状幅方向エンボス、９…後部弧状幅方向エンボス、１０…中高部、Ｈ…排血部位
【図１】
2007143699.tif 000003
【図２】
2007143699.tif 000004
【図３】
2007143699.tif 000005
【図４】
2007143699.tif 000006
【図５】
2007143699.tif 000007
【図６】
2007143699.tif 000008
【図７】
2007143699.tif 000009
【図８】
2007143699.tif 000010
【図９】
2007143699.tif 000011
【図１０】
2007143699.tif 000012
【図１１】
2007143699.tif 000013
【図１２】
2007143699.tif 000014